【手続補正書】
【提出日】平成27年1月14日(2015.1.14)
【手続補正１】
【補正対象書類名】特許請求の範囲
【補正対象項目名】全文
【補正方法】変更
【補正の内容】
【特許請求の範囲】
【請求項１】
静止画撮影モードと動画撮影モードを有するデジタルカメラであって、
ズームレンズと、
上記ズームレンズの形成した光学像を電気信号に変換する撮像回路と、
上記静止画撮影モードにおいて、上記電気信号から静止画データを生成し記録し、上記動画撮影モードにおいては、上記電気信号から動画データを生成し記録するコントローラと、
静止画撮影の際に発光される照射角が変更可能な第１の補助光手段と、動画撮影の際に発光される照射角が固定された第２の補助光手段とを有するストロボ部と、
上記動画モードにおいて音声記録を行う音声記録部と、
を有し、
上記コントローラは、上記静止画撮影モードにおいては、上記ズームレンズの焦点距離に応じて上記第１の補助光手段の照射角を変更し、上記動画撮影モードにおいては、上記ズームレンズの焦点距離が変更されても上記第１の補助光手段の照射角を変更しないことを特徴とするデジタルカメラ。
【請求項２】
上記コントローラは、上記動画撮影モードにおいて、上記動画データの生成を行わない待機状態で、上記ズームレンズの焦点距離に応じて上記第１の補助光手段の照射角を変更することを特徴とする請求項１に記載のデジタルカメラ。
【請求項３】
上記コントローラは、上記動画撮影モードにおいて、音声記録を伴わない動画データの生成と記録を行う場合、上記ズームレンズの焦点距離に応じて上記第１の補助光手段の照射角を変更することを特徴とする請求項１に記載のデジタルカメラ。
【請求項４】
上記デジタルカメラは、内部マイクロフォンと外部マイクロフォンの何れかを選択して音声を取得して動画データの生成と記録が可能であり、
上記コントローラは、上記外部マクロフォンが選択された場合、上記動画撮影モードが選択された場合であっても、上記ズームレンズの焦点距離に応じて上記第１の補助光手段の照射角を変更する、
ことを特徴とする請求項１に記載のデジタルカメラ。
【請求項５】
上記第１の補助光手段はＸｅ管を用いて被写体を照射し、上記第２の補助光手段は発光ダイオードを用いて被写体を照射することを特徴とする請求項１ないし４のいずれか１項に記載のデジタルカメラ。
【手続補正２】
【補正対象書類名】明細書
【補正対象項目名】０００７
【補正方法】変更
【補正の内容】
【０００７】
上記目的を達成するため第１の発明に係わるデジタルカメラは、静止画撮影モードと動画撮影モードを有するデジタルカメラであって、ズームレンズと、上記ズームレンズの形成した光学像を電気信号に変換する撮像回路と、上記静止画撮影モードにおいて、上記電気信号から静止画データを生成し記録し、上記動画撮影モードにおいては、上記電気信号から動画データを生成し記録するコントローラと、静止画撮影の際に発光される照射角が変更可能な第１の補助光手段と、動画撮影の際に発光される照射角が固定された第２の補助光手段とを有するストロボ部と、上記動画モードにおいて音声記録を行う音声記録部と、を有し、上記コントローラは、上記静止画撮影モードにおいては、上記ズームレンズの焦点距離に応じて上記第１の補助光手段の照射角を変更し、上記動画撮影モードにおいては、上記ズームレンズの焦点距離が変更されても上記第１の補助光手段の照射角を変更しない。
【手続補正３】
【補正対象書類名】明細書
【補正対象項目名】００１１
【補正方法】変更
【補正の内容】
【００１１】
第５の発明に係わるデジタルカメラは、上記第１ないし第４の発明のいずれかにおいて、上記第１の補助光手段はＸｅ管を用いて被写体を照射し、上記第２の補助光手段は発光ダイオードを用いて被写体を照射する。
【手続補正４】
【補正対象書類名】明細書
【補正対象項目名】００２６
【補正方法】変更
【補正の内容】
【００２６】
不揮発性メモリ１１３は、フラッシュＲＯＭ等の電気的に書き換え可能なメモリであり、前述したようにＣＰＵ１０１ａが実行するためのプログラムを記憶している。また、プログラム以外にも、各種調整値等も記憶している。揮発性メモリ１１５は、ＤＲＡＭやＳＤＲＡＭ等、電気的に書き換え可能なメモリでる。揮発性メモリ１１５は、画像データを一時的に記憶したり、またプログラムの実行時の一時的記憶メモリとして使用される。
【手続補正５】
【補正対象書類名】明細書
【補正対象項目名】００５１
【補正方法】変更
【補正の内容】
【００５１】
レンズ通信を行うと、次に、ストロボ通信を行う（Ｓ１０６）。ここでは、カメラボディ１００と外部ストロボ２００との間で通信を行い、カメラコントローラ１０１はストロボ制御コンピュータ２０１に制御情報を送信する。この制御情報には、レンズの焦点距離データに基づいて算出されたストロボの照射範囲を示す情報が含まれる。この情報に基づきストロボ制御コンピュータ２０１は、照射範囲変更手段を制御する。また制御情報にはストロボの照射範囲を変更する際の変更速度を示す情報も含まれる。この制御情報に基づき、ストロボ制御コンピュータ２０１は、照射範囲変更手段を構成するアクチュエータ（可動拡散レンズ２０９の駆動に必要なアクチュエータ）の駆動速度を設定できる。駆動速度を速くすると、照射範囲変更手段から生じる機械的音声ノイズが大きくなり、一方、駆動速度を遅くすると、照射範囲変更手段から生じる機械的音声ノイズが小さくなる。駆動速度を適切に設定することで外部ストロボ２００の電池消耗を防ぐことができる。
【手続補正６】
【補正対象書類名】明細書
【補正対象項目名】００６７
【補正方法】変更
【補正の内容】
【００６７】
レリーズ釦の操作が検出される前の待機状態において、カメラコントローラ１０１は、ステップＳ２０４とＳ２０６の動作を周期的に実行する。この動作によって、ユーザが交換レンズ３００の焦点距離の変更操作（ズーミング動作）を行うと、撮影レンズ３０５の焦点距離に応じて、外部ストロボ２００の照射角（照射範囲）は変化する。
【手続補正７】
【補正対象書類名】明細書
【補正対象項目名】００６８
【補正方法】変更
【補正の内容】
【００６８】
続いて、ステップＳ１０８と同様に、カメラボディ１００と交換レンズ３００との間でレンズ通信動作を行う（Ｓ２０８）。ここでは、被写体の輝度情報を撮像回路１０３中の撮像素子のライブビュー用画像から取得し、輝度情報に応じて交換レンズ３００の絞り３０７の絞り値を算出する。この算出された絞り値を、レンズ制御コンピュータ３０１に送信する。レンズ制御コンピュータ３０１は、受信した絞り値に基づき絞り機構３０９を制御する。待機状態において、カメラコントローラ１０１は、ステップＳ２０８の動作を周期的に実行する。この動作によってライブビュー表示に必要な被写体画像を適切な露出条件で取得することができる。
【手続補正８】
【補正対象書類名】明細書
【補正対象項目名】０１２５
【補正方法】変更
【補正の内容】
【０１２５】
ステップＳ２５６における判定の結果、ストロボ発光が必要の場合には、次に、ステップＳ２０２と同様に、照射角変更許可のレンズ通信を行い（Ｓ２６０）、続いて、ステップＳ２０４と同様に、レンズ情報取得のためのレンズ通信を行う（Ｓ２６２）。また、ステップＳ２０６と同様に、制御情報を送信するためのストロボ通信を行い（Ｓ２６４）、ステップＳ２１８と同様に、照射角変更禁止のストロボ通信を行う（Ｓ２６６）。ステップＳ２６０〜Ｓ２６６の動作によって、一時的に外部ストロボ２００の照射角の変更動作が実行される。したがって、静止画像の撮影に際して、照射範囲と撮影範囲が合う。